(57)【要約】【課題】複数の機種の監視カメラの取り付けが可能であり、構成の簡素化と低コスト化を図る上で有利な監視カメラの取り付け装置および監視カメラ装置を提供する。【解決手段】監視カメラ装置６では、監視カメラ１０を取り付けるために取り付け装置２０が用いられる。取り付け装置２０は、ベース２２と、カバー２４と、第１部材２６と、第２部材２８とを備え、監視カメラ１０の底面１２０２から撮像素子１８０２までの距離が異なる３機種の監視カメラ１０が取り付けられるように構成されている。第２部材２８の３つの第２部材側取り付け片２８０４を、第１部材２６の第１乃至第３取り付け片３６０２Ａ、３６０２Ｂ、３６０２Ｃのそれぞれに取り付けることで、第１乃至第３の監視カメラ１０の撮像素子１８０２の中心とカバー２４の球面部３２Ｂの中心とがそれぞれ合致される。【選択図】図５
2007110472.tif 000002
【特許請求の範囲】
【請求項１】
監視カメラを天井に設置するための取り付け装置であって、
天井の開口に取着される筒状のベースと、
前記ベースの下端に取着され下部に透明な材料からなる球面部を有し前記ベースと協働して前記監視カメラの収容空間を形成するカバーと、
前記ベースに取着される第１部材と、
前記監視カメラの底面に取着される第２部材とを備え、
前記第１部材は、前記ベースの内周寄りの箇所で前記ベースの周方向に間隔をおいた箇所に位置する複数の取り付け部を有し、
前記各取り付け部は、上下方向における高さが互いに異なる値で形成され、かつ、各取り付け部どうしで同一の高さ位置の組み合わせからなる複数の第１部材側取り付け片を有し、
前記第２部材は、複数機種の監視カメラの底面に取着可能な複数の取り付け孔が形成された本体板部と、前記本体板部の外周部で周方向に間隔をおいた箇所から突設され前記本体板部からの上下方向における高さが同一で前記各取り付け部において上下方向の高さが等しい一つの前記第１部材側取り付け片に取着可能な複数の第２部材側取り付け片とを有する、
ことを特徴とする監視カメラの取り付け装置。
【請求項２】
前記各取り付け部における前記複数の第１部材側取り付け片は、上下方向の高さが前記ベースの周方向に沿って高い順にあるいは低い順に並べられ前記各取り付け部において同一の配置構造で配設されていることを特徴とする請求項１記載の監視カメラの取り付け装置。
【請求項３】
前記各取り付け部の複数の第１部材側取り付け片は、前記ベースの内周部で前記ベースの中心を中心とした単一の円周上に位置するように設けられていることを特徴とする請求項１記載の監視カメラの取り付け装置。
【請求項４】
前記本体板部と前記複数の第２部材側取り付け片は同一平面上に設けられていることを特徴とする請求項１記載の監視カメラの取り付け装置。
【請求項５】
前記ベースは、筒部と、筒部の上端を閉塞する上面部とを有し、
前記第１部材は、前記上面部に取着される基板部を有し、
前記複数の取り付け部は、前記基板部の周方向に間隔をおいた複数箇所に設けられていることを特徴とする請求項１記載の監視カメラの取り付け装置。
【請求項６】
前記ベースは、筒部と、筒部の上端を閉塞する上面部とを有し、
前記第１部材は、前記上面部に取着される基板部を有し、
前記基板部の周方向に間隔をおいた複数箇所から、それぞれ下方への突出長さが互いに異なる値で形成された複数の脚片が垂設され、前記第１部材側取り付け片は前記複数の脚片の下端にそれぞれ設けられていることを特徴とする請求項１記載の監視カメラの取り付け装置。
【請求項７】
前記第１部材は前記ベースに位置決めされた状態で取着され、前記第２部材は前記監視カメラの底面に位置決めされた状態で取着され、前記第１部材側取り付け片には、第１部材に対する第２部材の位置決めを行なうための位置決め用の第１部材側係合部が設けられ、前記第２部材側取り付け片には前記第１部材側係合部に係合可能な第２部材側係合部が設けられていることを特徴とする請求項１記載の監視カメラの取り付け装置。
【請求項８】
前記監視カメラに画像を捉える撮像素子が組み込まれ、前記本体板部が監視カメラの底面に取着され、前記複数の第２部材側取り付け片が、前記各取り付け部において上下方向における高さが等しい一つの第１部材側取り付け片に取着されることで、前記撮像素子の中心と前記球面部の中心とが合致されることを特徴とする請求項１記載の監視カメラの取り付け装置。
【請求項９】
画像を捉える撮像素子が組み込まれ取り付け装置を介して天井に設置される監視カメラ装置であって、
前記取り付け装置は、天井の開口に取着される筒状のベースと、前記ベースの下端に取着され下部に透明な材料からなる球面部を有し前記ベースと協働して前記監視カメラの収容空間を形成するカバーと、前記ベースに取着される第１部材と、前記監視カメラの底面に取着される第２部材とを備えており、
前記第１部材は、前記ベースの内周寄りの箇所で前記ベースの周方向に間隔をおいた箇所に位置する複数の取り付け部を有し、
前記各取り付け部は、上下方向における高さが互いに異なる値で形成され、かつ、各取り付け部どうしで同一の高さ位置の組み合わせからなる複数の第１部材側取り付け片を有し、
前記第２部材は、複数機種の監視カメラの底面に取着可能な複数の取り付け孔が形成された本体板部と、前記本体板部の外周部で周方向に間隔をおいた箇所から突設され前記本体板部からの上下方向における高さが同一で前記各取り付け部において上下方向の高さが等しい一つの前記第１部材側取り付け片に取着可能な複数の第２部材側取り付け片とを有し、
前記本体板部が監視カメラの底面に取着され、前記複数の第２部材側取り付け片が、前記各取り付け部において上下方向における高さが等しい一つの第１部材側取り付け片に取着されることで、前記撮像素子の中心と前記球面部の中心とが合致され、この状態で前記監視カメラは前記収容空間に収容されている、
ことを特徴とする監視カメラ装置。
【発明の詳細な説明】
【技術分野】
【０００１】
本発明は監視カメラの取り付け装置および監視カメラ装置に関する。
【背景技術】
【０００２】
撮影光学系によって導かれた被写体像を撮像素子によって撮像するカメラを、遠隔操作によってパン、チルト、ズームさせる監視カメラ（いわゆるパンチルトズームカメラ（ＰＴＺカメラ））が提供されている。
そして、監視カメラは天井に設置される場合が多く、監視カメラを天井に設置するための取り付け装置も提供されている（特許文献１参照）。
この取り付け装置は、監視カメラを収容空間に密閉して収容することで監視カメラを塵埃や湿気から保護する構造となっており、天井の開口に取着されるベースと、ベースの下端に取着され下部に球面部を有しベースと協働して前記収容空間を形成する透明な材料からなるカバーとを備え、ベースに監視カメラの底面を取り付けている。
そして、監視カメラが前記収容空間に収容された状態で、被写体からの光がカバーを透過して撮影光学系を介して撮像素子に導かれる。この際、撮像素子によって良好な画像を撮像するためには、撮影光学系の光軸がカバーの球面に対して直交している必要があり、言い換えると、撮像素子の中心とカバーの球面部の中心とが合致されている必要がある。
また、監視カメラは、その用途や性能に応じて外形寸法が異なるため、監視カメラの底面から撮像素子の中心までの寸法が機種毎に異なることが多い。
したがって、従来は、監視カメラの機種毎に異なる取り付け装置を用意するか（従来技術１）、あるいは、監視カメラの高さ方向の位置を調整する調整機構を監視カメラの底面とベースとの間に設け、この調整機構により撮像素子の中心とカバーの球面部の中心とが一致するように調整している（従来技術２）。
【特許文献１】特開２０００−２４４７８０号公報
【発明の開示】
【発明が解決しようとする課題】
【０００３】
そのため、上述の従来技術１では、既に取り付けられている監視カメラの機種を変更する毎に、取り付け装置も交換しなくてはならず、交換作業が面倒でコストがかかる不利がある。
また、上述の従来技術２では、調整機構の調整作業が面倒であり、調整機構の構成が複雑で高価なものとなる不利がある。
本発明は、このような事情に鑑みなされたもので、その目的は、複数の機種の監視カメラの取り付けが可能であり、構成の簡素化と低コスト化を図る上で有利な監視カメラの取り付け装置および監視カメラ装置を提供することにある。
【課題を解決するための手段】
【０００４】
上記目的を達成するために本発明は、監視カメラを天井に設置するための取り付け装置であって、天井の開口に取着される筒状のベースと、前記ベースの下端に取着され下部に透明な材料からなる球面部を有し前記ベースと協働して前記監視カメラの収容空間を形成するカバーと、前記ベースに取着される第１部材と、前記監視カメラの底面に取着される第２部材とを備え、前記第１部材は、前記ベースの内周寄りの箇所で前記ベースの周方向に間隔をおいた箇所に位置する複数の取り付け部を有し、前記各取り付け部は、上下方向における高さが互いに異なる値で形成され、かつ、各取り付け部どうしで同一の高さ位置の組み合わせからなる複数の第１部材側取り付け片を有し、前記第２部材は、複数機種の監視カメラの底面に取着可能な複数の取り付け孔が形成された本体板部と、前記本体板部の外周部で周方向に間隔をおいた箇所から突設され前記本体板部からの上下方向における高さが同一で前記各取り付け部において上下方向の高さが等しい一つの前記第１部材側取り付け片に取着可能な複数の第２部材側取り付け片とを有することを特徴とする。
また、本発明は、画像を捉える撮像素子が組み込まれ取り付け装置を介して天井に設置される監視カメラ装置であって、前記取り付け装置は、天井の開口に取着される筒状のベースと、前記ベースの下端に取着され下部に透明な材料からなる球面部を有し前記ベースと協働して前記監視カメラの収容空間を形成するカバーと、前記ベースに取着される第１部材と、前記監視カメラの底面に取着される第２部材とを備えており、前記第１部材は、前記ベースの内周寄りの箇所で前記ベースの周方向に間隔をおいた箇所に位置する複数の取り付け部を有し、前記各取り付け部は、上下方向における高さが互いに異なる値で形成され、かつ、各取り付け部どうしで同一の高さ位置の組み合わせからなる複数の第１部材側取り付け片を有し、前記第２部材は、複数機種の監視カメラの底面に取着可能な複数の取り付け孔が形成された本体板部と、前記本体板部の外周部で周方向に間隔をおいた箇所から突設され前記本体板部からの上下方向における高さが同一で前記各取り付け部において上下方向の高さが等しい一つの前記第１部材側取り付け片に取着可能な複数の第２部材側取り付け片とを有し、前記本体板部が監視カメラの底面に取着され、前記複数の第２部材側取り付け片が、前記各取り付け部において上下方向における高さが等しい一つの第１部材側取り付け片に取着されることで、前記撮像素子の中心と前記球面部の中心とが合致され、この状態で前記監視カメラは前記収容空間に収容されていることを特徴とする。
【発明の効果】
【０００５】
本発明の取り付け装置および監視カメラ装置によれば、監視カメラの機種を変更する毎に取り付け装置を製作する必要がなくなり、監視カメラ装置のコストダウンを図る上で有利となる。また、第１部材と第２部材を介して監視カメラをベースに取り付けることで、撮像素子の中心と球面部の中心とが合致されるので、何ら調整作業を要せず、監視カメラの設置作業を簡単に効率よく行う上で有利となる。
【発明を実施するための最良の形態】
【０００６】
以下、本発明の実施の形態を図面に基づいて詳細に説明する。
まず、本発明の監視カメラ装置６に用いられる監視カメラ１０について説明する。
図１は監視カメラ１０の斜視図、図２は監視カメラ１０の側面図、図３は監視カメラ１０の背面図、図４は監視カメラ１０の底面図である。
図１乃至図４に示すように、監視カメラ１０は、基板部１２と、基板部１２を通る第１の仮想軸Ｌ１の回りに回転可能に基板部１２上に組み付けられた外ケース１４と、外ケース１４の上部内側に第１の仮想軸Ｌ１と直交する平面上を延在する第２の仮想軸Ｌ２の回りに回転可能に組み付けられた内ケース１６と、カメラ１８などを備えている。
監視カメラ１０は取り付け装置２０を介して基板部１２が上位に位置するように上下を逆にして配設され、したがって、第１の仮想軸Ｌ１は鉛直方向に延在し、第２の仮想軸Ｌ２は水平方向に延在する。
【０００７】
図４に示すように、基板部１２の底面１２０２は、取り付け装置２０に取り付けるための取り付け面となっており、底面１２０２には複数のねじ孔１２０４が形成されている。
基板部１２の内部には、外ケース１４を第１の仮想軸Ｌ１の回りに回転する不図示のモータや監視カメラ１０の外部に設けられたホスト装置と通信可能に構成された不図示の基板が収容されている。前記基板は、ホスト装置から送信されるコマンドに基づいてカメラ１８、前記モータなどの制御を行ったり、カメラ１８からの映像信号をホスト装置に供給したりする制御装置を構成している。
図１、図４に示すように、基板部１２は平面視円板状を呈し、背面側に矩形板状の突出部１２０６が形成されている。
突出部１２０６の背面には、図３に示すように、前記ホスト装置との間を接続するケーブル、種々の外部装置との間を接続するケーブルなどが接続される複数のコネクタ１２０８や設定スイッチ１２１０などが設けられている。
【０００８】
図１に示すように、外ケース１４は、基板部１２に臨む下部１４０２と、下部１４０２の両側から突設された２つのアーム部１４０４とを備えている。
基板部１２と下部１４０２とは第１の仮想軸Ｌ１の回りに回転可能に結合されている。
【０００９】
図１に示すように、内ケース１６は、２つのアーム部１４０４の上部間に配設され、内ケース１６の両側部は２つのアーム部１４０４の上部に対して第２の仮想軸Ｌ２の回りに回転可能に結合されている。
内ケース１６の内側には、外ケース１４に対して内ケース１６を第２の仮想軸Ｌ２の回りに回転する不図示のモータが配設されている。
【００１０】
図２に示すように、カメラ１８は、内ケース１６の内側に収容されている。
カメラ１８は、内ケース１６に形成された内側開口１６０２（図１参照）を介して被写体を撮影できるように構成され、内側開口１６０２は２つのアーム部１４０４の間の中央に位置している。
カメラ１８は、被写体像を導く撮影光学系と、撮影光学系で導かれた被写体像を撮像する撮像素子１８０２とを備え、撮影光学系にはフォーカシング機構およびズーミング機構が設けられ、内側開口１６０２には、撮影光学系の最も前方に位置する対物レンズ１８０４が組み付けられている。
なお、撮像素子１８０２で撮像された撮像信号は、前記基板に設けられた信号処理回路によって映像信号に処理され、前記ケーブルを介してホスト装置に供給される。
【００１１】
本実施の形態では、外ケース１４は、例えば、第１の仮想軸Ｌ１の回りに３４０度の範囲で回転可能に設けられ、より詳細には、カメラ１８の光軸を前方に向けた基準位置から左右方向にそれぞれ１７０度の範囲で回転可能に設けられている。
また、内ケース１６は、例えば、第２の仮想軸Ｌ２の回りに１２０度の範囲で回転可能に設けられ、より詳細には、監視カメラ１０の上下を逆にして基板部１２を水平面に取り付け、カメラ１８の光軸を水平方向に向けた基準位置から基板部１２に近づく方向に３０度、基板部１２から離れる方向に９０度の範囲で回転可能に設けられている。
したがって、第１の仮想軸Ｌ１回りで３４０度の範囲をカメラ１８によって撮影でき、第２の仮想軸Ｌ２回りで１２０度の範囲をカメラ１８によって撮影できる。
【００１２】
監視カメラ装置６では、監視カメラ１０を取り付けるために取り付け装置２０が用いられ、次に、この取り付け装置２０について説明する。
図５は本実施の形態の監視カメラ装置６の組み立て図である。
図５に示すように、取り付け装置２０は、ベース２２と、カバー２４と、第１部材２６と、第２部材２８とを備えている。
【００１３】
図６（Ａ）はベース２２の断面図、（Ｂ）はベース２２の底面図、図７はベース２２の斜視図である。
ベース２２は、天井２の開口４に取着されるもので合成樹脂製である。
図６（Ａ）、（Ｂ）に示し、また、図７に示すように、ベース２２は、筒部２２０２と、筒部２２０２の上端を閉塞する上面部２２０４とを有している。
筒部２２０２の下端には、筒部２２０２の半径方向外側に広がる鍔部２２０６が設けられ、図６に示すように、筒部２２０２が天井２の開口４に挿通され、鍔部２２０６が天井２に突き当てられ固定された状態でベース２２は設置される。なお、鍔部２２０６の天井２への固定は、鍔部２２０６の複数箇所に設けたねじ挿通孔にねじを挿通し天井２に締結することで行ってもよく、あるいは、鍔部２２０６の上方の筒部２２０２の箇所に上下に移動可能に押さえ片を設け、この押さえ片と鍔部２２０６とで開口４の縁を挟持することで行ってもよく（特開２０００−２４４７８０号公報）、従来公知の様々な固定構造、設置構造が採用可能である。
鍔部２２０６の下面で周方向に間隔をおいた複数箇所にカバー２４を取着するための係止爪２２０８が設けられている。
なお、上面部２２０４の上面には、図６（Ａ）に示し、また、図７に示すように、第１部材２６を取り付けるための補強板２２１０が取着されており、図６（Ｂ）に示すように、上面部２２０４には補強板２２１０を取り付けるための複数のねじ挿通孔２２１１が設けられている。
【００１４】
図８（Ａ）はカバー２４の一部を破断した側面図であり、（Ｂ）はカバー２４の平面図である。
カバー２４は、図５に示すように、ベース２２の下部に結合されベース２２と協働して監視カメラ１０の収容空間Ｓを形成するものであり、透明な合成樹脂で形成されている。
図８（Ａ）、（Ｂ）に示すように、カバー２４は上部材３０と下部材３２との２つの部材で構成されている。
上部材３０は、ベース２２の鍔部２２０６よりも大きな外径で環状に形成されている。上部材３０は、ベース２２と別色の合成樹脂で形成され、塗装はされていない。
下部材３２は、上部材３０の中央開口に挿通されねじ３２０２で固定される筒部３２Ａと、筒部３２Ａの下端に形成された球面部３２Ｂとを有し、下部材３２は透明な合成樹脂で形成されている。
筒部３２Ａの上端面には、上部材３０の上面をベース２２の鍔部２２０６の下面に近接させ、カバー２４を回転した際に、係止爪２２０８に係合する係止片３２０４が設けられ、係止爪２２０８と係止片３２０４とが係合された状態で、カバー２４はベース２２に対して位置決めされた状態で結合される。
【００１５】
図９（Ａ）は第１部材２６の平面図、（Ｂ）は第１部材２６の側面図である。
第１部材２６は、ベース２２の上面部の下面に取着されるもので板金製である。
図５に示すように、第１部材２６は、ベース２２の筒部２２０２の内周寄りの箇所で筒部２２０２の周方向に間隔をおいた箇所に位置する複数の取り付け部３６を有している。
前記各取り付け部３６は、上下方向における高さが互いに異なる値で形成され、かつ、各取り付け部３６どうしで同一の高さ位置の組み合わせからなる複数の第１部材側取り付け片３６０２を有している。
詳細に説明すると、取り付け部３６はベース２２の筒部２２０２の内周寄りの箇所で筒部２２０２の周方向に間隔をおいた３箇所に設けられている。
また、第１部材２６は、上面部２２０４よりも小さい直径の円形で形成され上面部２２０４に取着される基板部２６０２を有している。
基板部２６０２には、複数のねじ孔２６０４が形成され、図５、図７に示すように、基板部２６０２は上面部２２０４の下面に当て付けられ、上面部２２０４のねじ挿通孔２２１２に挿通したねじ２２１４により補強板２２１０に締結され、基板部２６０２と補強板２２１０とで上面部２２０４を挟持することで上面部２２０４に取着される。
なお、基板部２６０２と上面部２２０４とは、位置決めピンや位置決め孔などの従来公知の位置決め構造により上下方向および水平方向に位置決めされた状態で取着される。
基板部２６０２の周方向に１２０度の間隔をおいた３箇所から、それぞれ下方への突出長さが互いに異なる値で形成された第１脚片２６１０Ａ、第２脚片２６１０Ｂ、第３脚片２６１０Ｃがそれぞれ垂設されている。
各取り付け部３６の複数の第１部材側取り付け片３６０２は、第１脚片２６１０Ａ、第２脚片２６１０Ｂ、第３脚片２６１０Ｃの下端にそれぞれ屈曲形成されている。
説明の便宜上、第１脚片２６１０Ａの下端に屈曲形成された第１部材側取り付け片３６０２を第１取り付け片３６０２Ａといい、第２脚片２６１０Ｂの下端に屈曲形成された第１部材側取り付け片３６０２を第２取り付け片３６０２Ｂといい、第３脚片２６１０Ｃの下端に屈曲形成された第１部材側取り付け片３６０２を第３取り付け片３６０２Ｃという。
上述のように、第１脚片２６１０Ａ、第２脚片２６１０Ｂ、第３脚片２６１０Ｃは、下方への突出長さが互いに異なる値で形成されていることから、第１取り付け片３６０２Ａ、第２取り付け片３６０２Ｂ、第３取り付け片３６０２Ｃも上下高さが互いに異なっており、本実施の形態では、各取り付け部３６における複数の第１部材側取り付け片３６０２は、上下方向の高さがベース２２の周方向に沿って高い順にあるいは低い順に並べられ各取り付け部３６において同一の配置構造で配設されている。
【００１６】
各取り付け部３６の第１取り付け片３６０２Ａ、第２取り付け片３６０２Ｂ、第３取り付け片３６０２Ｃは、ベース２２の上面部２２０４の内周部で上面部２２０４の中心を中心とした単一の円周上に位置するように設けられている。
第１取り付け片３６０２Ａ、第２取り付け片３６０２Ｂ、第３取り付け片３６０２Ｃは、水平面上を延在している。
２箇所の取り付け部３６において、第１取り付け片３６０２Ａと第２取り付け片３６０２Ｂと第３取り付け片３６０２Ｃには、基板部２６０２の外径よりも大きい寸法の仮想円Ｃ１上に位置するようにねじ孔３６０４が形成され、仮想円Ｃ１よりも大きい寸法の仮想円Ｃ２上に位置するように下方に凸状の位置決め突起３６０６（第１部材側係合部）が形成されている。
また、残りの１箇所の取り付け部３６では、第１取り付け片３６０２Ａと第２取り付け片３６０２Ｂと第３取り付け片３６０２Ｃに、仮想円Ｃ１上に位置するようにねじ孔３６０４のみが形成されている。
なお、図９（Ａ）において、符号２６２０は、基板部２６０２に形成されたワイヤ挿通用の開口を示す。
【００１７】
図１０（Ａ）は第２部材２８の底面図、（Ｂ）は第２部材２８の側面図である。
第２部材２８は、監視カメラ１０の底面１２０２に取着されるもので板金製である。
第２部材２８は、本体板部２８０２と、複数の第２部材側取り付け片２８０４とを有している。
本体板部２８０２は、円形を呈し、本体板部２８０２には、複数機種の監視カメラ１０の底面１２０２に取着可能な複数の取り付け孔２８１０が形成されている。なお、取り付け孔２８１０は、ベース２２に対して監視カメラ１０の基板部１２が予め決められた向きで取着されるように設けられている。
本実施の形態では、１機種の監視カメラ１０に対して４つの取り付け孔２８１０が用いられ、そのうちの１つの取り付け孔２８１０は、取着用に用いるねじががたつくことなく挿入されるように高い精度で形成され、１つの取り付け孔２８１０は位置決め孔として機能するように形成されている。また、他の１つの取り付け孔２８１０は、この位置決め孔として機能する取り付け孔２８１０に対して、離間接近する方向に延在する長溝として形成されている。また、残りの２つの取り付け孔２８１０は、通常のねじ挿通孔（ねじが円滑に装脱できるようにねじよりも大きな内径で形成された孔）として形成されている。したがって、位置決め孔として機能する取り付け孔２８１０と長溝として形成された取り付け孔２８１０とにより第２部材２８が底面１２０２に対して位置決めされた状態で取着される。そして、このような取り付け孔２８１０は、異なった３機種の監視カメラ１０の底面１２０２に取着可能に設けられ、本体板部２８０２が監視カメラ１０の底面１２０２に、上下方向および水平方向に位置決めされた状態で取着されるように構成されている。
【００１８】
第２部材側取り付け片２８０４は、本体板部２８０２の外周部で周方向に間隔をおいた箇所から３つ突設されている。
第２部材側取り付け片２８０４は、本体板部２８０２を監視カメラ１０の底面１２０２に取着した状態で、基板部１２の外側に位置するように設けられている。
第２部材側取り付け片２８０４は、各取り付け部３６において上下方向の高さが等しい一つの第１部材側取り付け片３６０２に取着可能に形成されている。
図１０（Ｂ）に示すように、本体板部２８０２と複数の第２部材側取り付け片２８０４とは同一平面上に設けられている。
３つの第２部材側取り付け片２８０４のうち１つの取り付け片には、内側にねじ挿通孔２８１２が形成され、また、外側に位置決め用突起３６０６に係合可能な位置決め孔２８１４が形成されている。
３つの第２部材側取り付け片２８０４のうち他の１つの取り付け片には、内側にねじ挿通孔２８１２が形成され、また、外側に、本体板部２８０２の径方向に延在し位置決め用突起３６０６に係合可能な長溝２８１６が形成されている。
さらに、３つの第２部材側取り付け片２８０４のうちの残りの１つの取り付け片には、ねじ挿通孔２８１２のみが形成されている。
なお、図１０（Ａ）において、符号２８２０は、本体板部２８０２に形成されたワイヤ挿通用の開口を示す。
【００１９】
そして、第１部材２６をベース２２に位置決めした状態で取り付け、第２部材２８を例えば、第１の監視カメラ１０の底面１２０２に位置決めした状態で取り付け、第２部材２８の３つの第２部材側取り付け片２８０４を、第１部材２６の各取り付け部３６の第１取り付け片３６０２Ａに位置決めした状態で取り付けると、第１の監視カメラ１０の撮像素子１８０２の中心と球面部３２Ｂの中心とが合致されるように形成されている。
また、第１部材２６をベース２２に位置決めした状態で取り付け、第２部材２８を例えば、第２の監視カメラ１０の底面１２０２に位置決めした状態で取り付け、第２部材２８の３つの第２部材側取り付け片２８０４を、第１部材２６の各取り付け部３６の第２取り付け片３６０２Ｂに位置決めした状態で取り付けると、第２の監視カメラ１０の撮像素子１８０２の中心と球面部３２Ｂの中心とが合致されるように形成されている。
また、第１部材２６をベース２２に位置決めした状態で取り付け、第２部材２８を例えば、第３の監視カメラ１０の底面１２０２に位置決めした状態で取り付け、第２部材２８の３つの第２部材側取り付け片２８０４を、第１部材２６の各取り付け部３６の第３取り付け片３６０２Ｃに位置決めした状態で取り付けると、第３の監視カメラ１０の撮像素子１８０２の中心と球面部３２Ｂの中心とが合致されるように形成されている。
すなわち、本実施の形態では、取り付け装置２０は、監視カメラ１０の底面１２０２から撮像素子１８０２までの距離が異なる３機種の監視カメラ１０が取り付けられるように構成されている。
【００２０】
なお、互いに取着される第１部材部材側取り付け片３６０２と第２部材側取り付け片２８０４とは、監視カメラ１０の基板部１２の外側に位置しているため、それら第１部材部材側取り付け片３６０２と第２部材側取り付け片２８０４を取り付けることで強固な構成で監視カメラ１０が第１部材２６に取着されることになる。
また、天井２に一端が取り付けられたワイヤの他端が、補強板２２１０の開口２２１５（図７参照）、ベース２２の開口２２１３（図７参照）、第１部材２６の開口２６２０、第２部材２８の開口２８２０を通って監視カメラ１０の底面１２０２に連結され、ベース２２、第１部材２６、第２部材２８および監視カメラ１０の落下の防止が図られている。
【００２１】
次に、作用効果について説明する。
図１１は実施の形態における監視カメラ装置６の側面図、図１２（Ａ）は第１部材２６と第２部材２８が組み付けられた状態を示す底面図、（Ｂ）は（Ａ）の側面図である。
上述のように取り付け装置２０は、監視カメラ１０の底面１２０２から撮像素子１８０２までの距離が異なる３機種の監視カメラ１０が取り付けられるように構成されており、第２部材２８の３つの第２部材側取り付け片２８０４を、第１部材２６の各取り付け部３６の第１取り付け片３６０２Ａに取り付けると、撮像素子１８０２の中心と球面部３２Ｂの中心とが合致される第１の監視カメラ１０を取り付ける場合から説明する。
図５に示すように、第１部材２６をベース２２に位置決めした状態で取着する。
また、第２部材２８を第１の監視カメラ１０の底面１２０２に位置決めした状態で取着する。
次に、第２部材２８の３つの第２部材側取り付け片２８０４を、第１部材２６の各取り付け部３６の第１取り付け片３６０２Ａに位置決めした状態で取り付ける。
すなわち、図１２（Ａ）、（Ｂ）に示すように、３箇所の取り付け部３６において、第１取り付け片３６０２Ａに第２部材側取り付け片２８０４を合わせる。そして、１箇所の取り付け部３６において、第１取り付け片３６０２Ａの位置決め突起３６０６と、第２部材側取り付け片２８０４の位置決め孔２８１４とを係合させ、他の１箇所の取り付け部３６において、第１取り付け片３６０２Ａの位置決め突起３６０６と、第２部材側取り付け片２８０４の長溝２８１６とを係合させる。これにより、第１部材２６に対する第２部材２８の位置決めがなされる。次に、３箇所の取り付け部３６において、ねじ３６１０をねじ挿通孔２８１２に挿通しねじ孔３６０４に螺合する。
次に、第１部材２６と第２部材２８を介して監視カメラ１０が取り付けられたベース２２を天井２に設置する。
最後に、ベース２２の下部にカバー２４を取着する。
これにより、撮像素子１８０２の中心と球面部３２Ｂの中心とが合致された状態で第１の監視カメラ１０が収容空間Ｓに収容され、図１１に示すように、天井２に設置される。
【００２２】
次に、第２部材２８の３つの第２部材側取り付け片２８０４を、第１部材２６の各取り付け部３６の第２取り付け片３６０２Ｂに取り付けると、撮像素子１８０２の中心と球面部３２Ｂの中心とが合致される第２の監視カメラ１０を取り付ける場合について説明する。
第１の監視カメラ１０の場合と同様に、まず、第１部材２６をベース２２に位置決めした状態で取着し、第２部材２８を第１の監視カメラ１０の底面１２０２に位置決めした状態で取着する。
次に、第２部材２８の３つの第２部材側取り付け片２８０４を、第１の監視カメラ１０の場合と同様に、第１部材２６の各取り付け部３６の第２取り付け片３６０２Ｂに位置決めした状態で取り付ける。
次に、第１部材２６と第２部材２８を介して監視カメラ１０が取り付けられたベース２２を天井２に設置し、ベース２２の下部にカバー２４を取着し、これにより、撮像素子１８０２の中心と球面部３２Ｂの中心とが合致された状態で第２の監視カメラ１０が収容空間Ｓに収容され、図１１に示すように、天井２に設置される。
【００２３】
次に、第２部材２８の３つの第２部材側取り付け片２８０４を、第１部材２６の各取り付け部３６の第３取り付け片３６０２Ｃに取り付けると、撮像素子１８０２の中心と球面部３２Ｂの中心とが合致される第３の監視カメラ１０を取り付ける場合について説明する。
第１の監視カメラ１０の場合と同様に、まず、第１部材２６をベース２２に位置決めした状態で取着し、第２部材２８を第１の監視カメラ１０の底面１２０２に位置決めした状態で取着する。
次に、第２部材２８の３つの第２部材側取り付け片２８０４を、第１の監視カメラ１０の場合と同様に、第１部材２６の各取り付け部３６の第３取り付け片３６０２Ｃに位置決めした状態で取り付ける。
次に、第１部材２６と第２部材２８を介して監視カメラ１０が取り付けられたベース２２を天井２に設置し、ベース２２の下部にカバー２４を取着し、これにより、撮像素子１８０２の中心と球面部３２Ｂの中心とが合致された状態で第３の監視カメラ１０が収容空間Ｓに収容され、図１１に示すように、天井２に設置される。
【００２４】
したがって、本実施の形態によれば、監視カメラの機種を変更する毎に取り付け装置を製作する必要がなくなり、詳細には、少なくとも３機種の監視カメラ１０に対しては単一の取り付け装置２０で足り、監視カメラ装置のコストダウンを図る上で有利となる。
また、第１部材２６と第２部材２８を介して監視カメラ１０をベース２２に取り付けることで、撮像素子１８０２の中心と球面部３２Ｂの中心とが合致されるので、何ら調整作業を要せず、監視カメラ１０の設置作業を簡単に効率よく行う上で有利となる。
また、ベース２２の筒部２２０２の内周寄りの箇所で筒部２２０２の周方向に間隔をおいた箇所にそれぞれ取り付け部３６を設け、各取り付け部３６に第１取り付け片３６０２Ａ、第２取り付け片３６０２Ｂ、第３取り付け片３６０２Ｃを設けたので、すなわち、筒部２２０２の周方向に間隔をおいた箇所に第１取り付け片３６０２Ａ、第２取り付け片３６０２Ｂ、第３取り付け片３６０２Ｃを集中して設けたので、例えば、第３取り付け片３６０２Ｃに第２部材側取り付け片２８０４を取り付けて監視カメラ１０を設置する場合、監視カメラ１０の突出部１２０６が隣り合う取り付け部３６の間に位置し、突出部１２０６が取り付け部３６に干渉して監視カメラ１０を設置できないなどの不具合を解消する上で有利となる。
特に、本実施の形態では、各取り付け部３６において、複数の第１部材側取り付け片３６０２は、上下方向の高さがベース２２の周方向に沿って大きい順にあるいは小さい順に並べられ各取り付け部３６において同一の配置構造で配設されているので、突出部１２０６が取り付け部３６に干渉して監視カメラ１０を設置できないなどの不具合を解消する上でより有利となっている。
【００２５】
なお、実施の形態では、各取り付け部３６において、基板部２６０２から直角に第１脚片２６１０Ａ、第２脚片２６１０Ｂ、第３脚片２６１０Ｃが垂設され、それらの下端に基板部２６０２と平行するように第１部材側取り付け片３６０２が設けられている場合について説明したが、図１３に示すように、基板部２６０２から鋭角または鈍角をなして第１脚片２６１０Ａ、第２脚片２６１０Ｂ、第３脚片２６１０Ｃが垂設され、それらの下端に基板部２６０２と交差する面を延在するように第１部材側取り付け片３６０２が設けられていてもよく、あるいは、図１４に示すように、基板部２６０２から直角に第１脚片２６１０Ａ、第２脚片２６１０Ｂ、第３脚片２６１０Ｃが垂設され、それらの下端に基板部２６０２と交差する面を延在するように第１部材側取り付け片３６０２が設けられていてもよく、第１乃至第３脚片２６１０Ａ、２６１０Ｂ、２６１０Ｃの角度や第１部材側取り付け片３６０２の角度は設置する監視カメラ１０の種類に応じて変化する。
また、実施の形態では、ベース２２の筒部２２０２の内周寄りの箇所で筒部２２０２の周方向に間隔をおいた３箇所にそれぞれ取り付け部３６を設けた場合について説明したが、取り付け部３６は２箇所であってもよく、あるいは、４箇所以上であってもよい。
また、各取り付け部３６における第１取り付け片３６０２Ａを通る仮想円の中心と、各取り付け部３６における第２取り付け片３６０２Ｂを通る仮想円の中心と、各取り付け部３６における第３取り付け片３６０２Ｃを通る仮想円の中心とはずれていてもよく、基板部２６０２の形状は円に限らず矩形などであってもよい。
また、実施の形態では、各取り付け部３６に上下高さが異なる３つの第１部材側取り付け片３６０２（第１取り付け片３６０２Ａ、第２取り付け片３６０２Ｂ、第３取り付け片３６０２Ｃ）を設けた場合について説明したが、各取り付け部３６に上下高さが異なる２つの第１部材側取り付け片３６０２を設けてもよく、あるいは、上下高さが異なる４つ以上の第１部材側取り付け片３６０２を設けるようにしてもよい。
また、本発明は、監視カメラ１０の底面１２０２から撮像素子１８０２までの距離が同一であっても、底面１２０２上のねじ孔１２０４の高さ位置が異なる場合にも無論適用される。
【図面の簡単な説明】
【００２６】
【図１】監視カメラ１０の斜視図である。
【図２】監視カメラ１０の側面図である。
【図３】監視カメラ１０の背面図である。
【図４】監視カメラ１０の底面図である。
【図５】実施の形態における監視カメラ装置６の組み立て図である。
【図６】（Ａ）はベース２２の断面図、（Ｂ）はベース２２の底面図である。
【図７】ベース２２の斜視図である。
【図８】（Ａ）はカバー２４の一部を破断した側面図であり、（Ｂ）はカバー２４の平面図である。
【図９】（Ａ）は第１部材２６の平面図、（Ｂ）は第１部材２６の側面図である。
【図１０】（Ａ）は第２部材２８の底面図、（Ｂ）は第２部材２８の側面図である。
【図１１】実施の形態における監視カメラ装置６の側面図である。
【図１２】（Ａ）は第１部材２６と第２部材２８が組み付けられた状態を示す底面図、（Ｂ）は（Ａ）の側面図である。
【図１３】変形例における監視カメラ装置６の組み立て図である。
【図１４】他の変形例における監視カメラ装置６の組み立て図である。
【符号の説明】
【００２７】
６……監視カメラ装置、１０……監視カメラ、２０……取り付け装置、２２……ベース、２４……カバー、２６……第１部材、２８……第２部材、２８０２……本体板部、２８０４……第２部材側取り付け片、２８１０……取り付け孔、３６……取り付け部、３６０２……第１部材側取り付け片。
【図１】
2007110472.tif 000003
【図２】
2007110472.tif 000004
【図３】
2007110472.tif 000005
【図４】
2007110472.tif 000006
【図５】
2007110472.tif 000007
【図６】
2007110472.tif 000008
【図７】
2007110472.tif 000009
【図８】
2007110472.tif 000010
【図９】
2007110472.tif 000011
【図１０】
2007110472.tif 000012
【図１１】
2007110472.tif 000013
【図１２】
2007110472.tif 000014
【図１３】
2007110472.tif 000015
【図１４】
2007110472.tif 000016